(57)【要約】【課題】ブラインドの開閉が容易なブラインド及び操作コード巻取装置を提供する。【解決手段】ブラインドＢｄは、スラットＳｔを吊下げ支持するヘッドボックスＢｈ、ヘッドボックスＢｈから垂下され、スラットＳｔを開閉操作するための操作コードＣｈ、及び、操作コードＣｈの垂下長さを調整可能な操作コード巻取装置１０を備える。操作コード巻取装置１０は、ループ状をなす操作コードＣｈを巻き掛けした支持軸１１ｓと、支持軸１１ｓと同軸上に支持軸１１ｓの周囲を囲い、操作コードＣｈを巻き取り可能なリール２と、を有する。操作コード巻取装置１０は、支持軸１１ｓと操作コードＣｈとを相対移動可能としているので、操作コード巻取装置１０を移動させることなく、スラットＳｔの昇降操作が可能となる。【選択図】図３
2020172787.tif 000002
【特許請求の範囲】
【請求項１】
遮蔽材を吊下げ支持する支持部材、前記支持部材から垂下され、前記遮蔽材を開閉操作するための操作コード、及び、前記操作コードの垂下長さを調整可能な操作コード巻取装置を備えたブラインドであって、
前記操作コードはループ状をなし、
前記操作コード巻取装置は、
前記操作コードを巻き掛けした支持軸と、
前記支持軸と同軸上に前記支持軸の周囲を囲い、前記操作コードを巻き取り可能なリールと、を有し、
前記支持軸と前記操作コードとを相対移動可能としている、ブラインド。
【請求項２】
前記リールは、前記操作コードが挿通する開口部を有し、
前記操作コードは、前記開口部を挿通して、前記支持軸に巻き掛けした状態で、前記リールを回動することで、前記リールの外周面に前記操作コードの一方側と他方側を一斉に巻き取りできる、請求項１記載のブラインド。
【請求項３】
前記開口部は、前記リールの外周の一部を断絶し、内部に貫通する切り欠き部からなり、
前記操作コードは、前記切り欠き部のいずれか一方の端部に係止することで、前記リールの外周面に巻き取りできる、請求項２記載のブラインド。
【請求項４】
前記操作コード巻取装置は、前記リールが前記操作コードを巻き取る方向に、前記リールに回転力を付勢する付勢部材を更に備えている、請求項１から３のいずれかに記載のブラインド。
【請求項５】
前記操作コード巻取装置は、前記リールに設けた係合部と係合可能な係合部材を更に備え、
前記係合部材は、
前記係合部と係合した状態では、前記リールの回転を制動し、
前記係合部との係合を解除した状態では、前記リールの回転を許容する、請求項１から４のいずれかに記載のブラインド。
【請求項６】
操作コードの垂下長さを調整可能な操作コード巻取装置であって、
遮蔽材を開閉操作するためのループ状に形成した操作コードと、
前記操作コードを巻き掛けした支持軸と、
前記支持軸と同軸上に前記支持軸の周囲を囲い、前記操作コードを巻き取り可能なリールと、を備え、
前記支持軸と前記操作コードとを相対移動可能としている、操作コード巻取装置。
【発明の詳細な説明】
【技術分野】
【０００１】
本発明は、ブラインド及び操作コード巻取装置に関する。特に、遮蔽材を開閉するブラインド、及び、遮蔽材を操作する操作コードに設けた操作コード巻取装置の構造に関する。
【背景技術】
【０００２】
一般に、ブラインドは、スラットと呼ばれる細長い複数の帯状の遮蔽材を水平方向に配列し、これらのスラットを垂直方向に開閉する横型ブラインド、ルーバーと呼ばれる細長い複数の帯状の遮蔽材を垂直方向に配列し、これらのルーバーを水平方向に開閉する縦型ブラインド、フラットな生地からなる遮蔽材を巻取パイプに巻き取ることで開閉するロールスクリーン、蛇腹状に伸縮する生地からなる遮蔽材を垂直方向に開閉するプリーツスクリーン等が知られている。このようなブラインドは、遮蔽材を開閉操作するための操作コードを備えている。
【０００３】
通常、操作コードは、天井などに取り付けたヘッドボックスから垂下している。操作コードの下端部が床面から低い位置に配置されている場合には、専用のコードクリップを用いて、幼児又はペットなどが届かない位置に操作コードを束ねている。
【０００４】
しかし、専用のコードクリップを操作コードに取り付け、又は操作コードから取り外すのは、不便であり、操作コードの操作に支障をきたすことから、操作コードの垂下長さを自由に調整できる操作コード巻取装置が開示されている（例えば、特許文献１参照）。
【先行技術文献】
【特許文献】
【０００５】
【特許文献１】実開平３−１２５１９８号公報
【発明の概要】
【発明が解決しようとする課題】
【０００６】
図９は、従来技術による操作コード巻取装置が適用されるブラインドの構成を示す正面図である。図１０は、従来技術による操作コード巻取装置の構成を示す横断面図である。図１１は、従来技術による操作コード巻取装置の構成を示す縦断面図であり、図１１（Ａ）は、内部の巻取リールが制動された状態図、図１１（Ｂ）は、内部の巻取リールの制動が解除された状態図である。
【０００７】
なお、本願の図９と図１０は、特許文献１の第１図と第２図に相当し、本願の図１１（Ａ）と図１１（Ｂ）は、特許文献１の第３図と第４図に相当している。
【０００８】
図９を参照すると、ブラインド９Ｂｄは、ヘッドボックスＢｈを上部に取り付けている。ヘッドボックスＢｈは、複数のスラットＳｔを吊り下げている。又、ヘッドボックスＢｈは、操作コードＣｈを垂下している。操作コードＣｈを操作することで、複数のスラットＳｔを開閉できる。従来技術による操作コード巻取装置９は、操作コードＣｈの端部に取り付けている。
【０００９】
図１０又は図１１を参照すると、操作コード巻取装置９は、一組の円筒状の第１ケース９１と円筒状の第２ケース９２を備えている。これらの第１ケース９１と第２ケース９２は、互いに開口側が突き合わされて、操作コード巻取装置９の外殻を構成している。
【００１０】
図１０又は図１１を参照すると、第１ケース９１と第２ケース９２は、操作コードＣｈが挿通自在な開口部９１ｈを一端部に設けている。又、第１ケース９１と第２ケース９２は、操作コード巻取装置９をフックなどに引掛けるための開口部９２ｈを他端部に設けている。
【００１１】
図１１を参照すると、第１ケース９１は、その中央部から支軸９１ｓを内部に突出している。一方、第２ケース９２は、陥没自在な薄肉の弾性壁部９２ｗを中央部に形成している。
【００１２】
図１０又は図１１を参照すると、操作コード巻取装置９は、巻取リール９３、ぜんまいばね９４、及び、制動子９５を内部に備えている。巻取リール９３は、第１ケース９１の支軸９１ｓと回転自在に連結している。巻取リール９３は、その外周に操作コードＣｈを巻き取ることができる。
【００１３】
図１１を参照すると、巻取リール９３は、円板部９３１と外周部９３２を一体に成形している。外周部９３２は、円板部９３１の周縁部に形成している。円板部９３１の中心部には、軸穴９３ｈを開口している。軸穴９３ｈは、支軸９１ｓと回転自在に連結している。外周部９３２は、その周囲に立設したフランジ板に規制されて、操作コードＣｈを巻き取ることができる。
【００１４】
図１０又は図１１を参照すると、巻取リール９３の外周部９３２は、中心部に向かって突出した複数の爪片９３ｎを有している。これらの爪片９３ｎが後述する制動子９５に設けた戻り止め刃９５ｂに板厚方向から当接することで、巻取リール９３が操作コードＣｈを巻き戻す方向に回転することを制動できる。
【００１５】
図１１を参照すると、ぜんまいばね９４は、巻取リール９３の内部に配置されている。ぜんまいばね９４の一端部は、支軸９１ｓに係止している。ぜんまいばね９４の他端部は、外周部９３２に係止している。ぜんまいばね９４は、巻取リール９３が操作コードＣｈを巻き取る力を蓄勢している。
【００１６】
図１０又は図１１を参照すると、制動子９５は、円柱状の軸部９５ａと一対の戻り止め刃９５ｂ・９５ｂを有している。一対の戻り止め刃９５ｂ・９５ｂは、軸部９５ａから遠心方向に突出している。又、戻り止め刃９５ｂは、爪片９３ｎに対してスライド自在な傾斜面を形成している。
【００１７】
図１１を参照すると、支軸９１ｓは、その先端部側の内部に圧縮コイルばね９６を保持している。制動子９５の軸部９５ａは、支軸９１ｓの先端部側と嵌合している。支軸９１ｓに対して、軸部９５ａは、軸方向の移動は許容されているが、軸周りの回転が規制されている。制動子９５は、圧縮コイルばね９６に付勢されて、軸部９５ａを弾性壁部９２ｗに向かって移動できる。
【００１８】
図１１（Ａ）に示した状態では、軸部９５ａの先端面が弾性壁部９２ｗの内壁に当接しているので、制動子９５が弾性壁部９２ｗに規制されて停止している。又、図１１（Ａ）に示した状態では、爪片９３ｎが戻り止め刃９５ｂに板厚方向から当接しているので、巻取リール９３が操作コードＣｈを巻き戻す方向に回転することを制動している。
【００１９】
図１１（Ａ）に示した状態から、圧縮コイルばね９６の付勢力に抗して、弾性壁部９２ｗを押下すると、図１１（Ｂ）に示すように、制動子９５を後退できる。
【００２０】
図１１（Ｂ）に示した状態では、爪片９３ｎと戻り止め刃９５ｂの係合が解除されるので、ぜんまいばね９４に付勢されて、巻取リール９３は、操作コードＣｈを巻き取る方向に回転できる。つまり、操作コード巻取装置９をヘッドボックスＢｈに向かって移動できる（図９参照）。そして、弾性壁部９２ｗの押下を停止すると、操作コード巻取装置９を高い位置に停止できる。
【００２１】
図９を参照して、操作コード巻取装置９が高い位置に停止した状態から、操作コード巻取装置９を下方に引っ張ると、爪片９３ｎが戻り止め刃９５ｂに形成した斜面にスライドできるので、操作コード巻取装置９を低い位置に移動できる。この場合、爪片９３ｎと戻り止め刃９５ｂが間欠的に係合するので、その振動音又は振動で巻取リール９３が回転していることを実感できる。
【００２２】
特許文献１による操作コード巻取装置は、必要に応じて操作コードの垂下長さを自由に調整でき、操作コードが邪魔になる、又は、美観を損なうことが無い、としている。又、特許文献１による操作コード巻取装置は、操作コードの昇降操作及び長さ調整操作の両方の操作が容易にできる、としている。
【００２３】
しかしながら、操作コードは、例えば、始端と終端が連続したループコードで構成している場合もある。このような場合、一方のループコードを引くと、ブラインドを閉じることができ、他方のループコードを引くと、ブラインドを開くることができる。
【００２４】
ループコードを特許文献１による操作コード巻取装置９に適用した場合には、折り返したループ部を巻取リール９３の外周に取り付けているので、一方のループコードを引くと、操作コード巻取装置９が上昇し、他方のループコードを引くと、操作コード巻取装置９が上昇するので、ブラインドの開閉が容易でないという問題がある。
【００２５】
ループコードで構成した操作コードの垂下長さを自由に調整できると共に、ブラインドの開閉が容易なブラインド及び操作コード巻取装置が求められている。そして、以上のことが本発明の課題といってよい。
【００２６】
本発明は、このような課題に鑑みてなされたものであり、ループコードで構成した操作コードの垂下長さを自由に調整できると共に、ブラインドの開閉が容易なブラインド及び操作コード巻取装置を提供することを目的とする。
【課題を解決するための手段】
【００２７】
本発明者は、リールを回転して操作コードを巻き取ることで、操作コードの垂下長さを自由に調整でき、操作コード巻取装置の支持軸に操作コードを相対移動可能に連結することで、操作コード巻取装置を移動させることなく、ループコードを操作できると考え、以下のような新たなブラインド及び操作コード巻取装置を発明するに至った。
【００２８】
（１）本発明によるブラインドは、遮蔽材を吊下げ支持する支持部材、前記支持部材から垂下され、前記遮蔽材を開閉操作するための操作コード、及び、前記操作コードの垂下長さを調整可能な操作コード巻取装置を備えたブラインドであって、前記操作コードはループ状をなし、前記操作コード巻取装置は、前記操作コードを巻き掛けした支持軸と、前記支持軸と同軸上に前記支持軸の周囲を囲い、前記操作コードを巻き取り可能なリールと、を有し、前記支持軸と前記操作コードとを相対移動可能としている。
【００２９】
（２）前記リールは、前記操作コードが挿通する開口部を有し、前記操作コードは、前記開口部を挿通して、前記支持軸に巻き掛けした状態で、前記リールを回動することで、前記リールの外周面に前記操作コードの一方側と他方側を一斉に巻き取りできることが好ましい。
【００３０】
（３）前記開口部は、前記リールの外周の一部を断絶し、内部に貫通する切り欠き部からなり、前記操作コードは、前記切り欠き部のいずれか一方の端部に係止することで、前記リールの外周面に巻き取りできることが好ましい。
【００３１】
（４）前記操作コード巻取装置は、前記リールが前記操作コードを巻き取る方向に、前記リールに回転力を付勢する付勢部材を更に備えていることが好ましい。
【００３２】
（５）前記操作コード巻取装置は、前記リールに設けた係合部と係合可能な係合部材を更に備え、前記係合部材は、前記係合部と係合した状態では、前記リールの回転を制動し、前記係合部との係合を解除した状態では、前記リールの回転を許容することが好ましい。
【００３３】
（６）本発明による操作コード巻取装置は、操作コードの垂下長さを調整可能な操作コード巻取装置であって、遮蔽材を開閉操作するためのループ状に形成した操作コードと、前記操作コードを巻き掛けした支持軸と、前記支持軸と同軸上に前記支持軸の周囲を囲い、前記操作コードを巻き取り可能なリールと、を備え、前記支持軸と前記操作コードとを相対移動可能としている。
【発明の効果】
【００３４】
本発明によるブラインドは、操作コードを巻き掛けした支持軸と操作コードを巻き取り可能なリールを有する操作コード巻取装置を備え、リールを回転して操作コードを巻き取ることで、操作コードの垂下長さを自由に調整でき、支持軸に操作コードを相対移動可能に連結することで、操作コード巻取装置を移動させることなく、ループコードを操作できる。
【００３５】
本発明による操作コード巻取装置は、操作コードを巻き掛けした支持軸と操作コードを巻き取り可能なリールを備え、リールを回転して操作コードを巻き取ることで、操作コードの垂下長さを自由に調整でき、支持軸に操作コードを相対移動可能に連結することで、操作コード巻取装置を移動させることなく、ループコードを操作できる。
【図面の簡単な説明】
【００３６】
【図１】本発明の一実施形態によるブラインドの構成を示す正面図であり、操作コード巻取装置が下部に配置された状態図である。
【図２】前記実施形態によるブラインドに備わる操作コード巻取装置の斜視分解組立図である。
【図３】前記実施形態によるブラインドに備わる操作コード巻取装置の縦断面図であり、操作コード巻取装置が操作コードの最下端部に配置された状態図である。
【図４】前記実施形態によるブラインドに備わる操作コード巻取装置の縦断面図であり、操作コード巻取装置に内部に備えたぜんまいばねが蓄勢した状態図である。
【図５】前記実施形態によるブラインドに備わる操作コード巻取装置の縦断面図であり、操作コード巻取装置が操作コードを巻き取る前の状態図である。
【図６】前記実施形態によるブラインドに備わる操作コード巻取装置の縦断面図であり、操作コード巻取装置が操作コードを巻き取っている状態図である。
【図７】前記実施形態によるブラインドに備わる操作コード巻取装置の縦断面図であり、操作コード巻取装置に内部に備えたぜんまいばねの蓄勢を解放している状態図である。
【図８】前記実施形態によるブラインドの構成を示す正面図であり、操作コード巻取装置が上部に配置された状態図である。
【図９】従来技術による操作コード巻取装置が適用されるブラインドの構成を示す正面図である。
【図１０】従来技術による操作コード巻取装置の構成を示す横断面図である。
【図１１】従来技術による操作コード巻取装置の構成を示す縦断面図であり、図１１（Ａ）は、内部の巻取リールが制動された状態図、図１１（Ｂ）は、内部の巻取リールの制動が解除された状態図である。
【発明を実施するための形態】
【００３７】
以下、図面を参照して本発明を実施するための形態を説明する。
【００３８】
［ブラインド及び操作コード巻取装置の構成］
（全体構成）
最初に、本発明の一実施形態によるブラインドの全体構成を説明する。なお、従来技術で付した符号と同じ符号を付した構成品は、その作用を同じにするので、以下、説明を省略することがある。
【００３９】
図１又は図８を参照すると、本発明の一実施形態によるブラインドＢｄは、支持部材となるＣ形チャンネル状のヘッドボックスＢｈを上部に取り付けている。ヘッドボックスＢｈは、複数のラダーコードＣｅを介して、複数の遮蔽材となるスラットＳｔを吊り下げている。又、ヘッドボックスＢｈは、操作コードＣｈを介して、スラットＳｔを角度調整するためのメカニズムを内部に配置している。ブラケットＢｒを用いて、ヘッドボックスＢｈを二点以上支持すると共に、ブラケットＢｒを窓枠の上面又は天井に固定することで、ブラインドＢｄを窓の内側に配置できる。
【００４０】
図１を参照すると、ヘッドボックスＢｈは、複数のドラム台Ｓｄ・Ｓｄを内部に備えている。ドラム台Ｓｄは、図示しない回転ドラム及び巻取ドラムＤｒを回転自在に支持している。ラダーコードＣｅは、その一端を回転ドラムに係留している。回転ドラムを所定角度、回動することで、複数のスラットＳｔの傾斜角度を一斉に調整できる。昇降コードＣｒは、その一端を巻取ドラムＤｒに係留している。巻取ドラムＤｒを一方又は他方の方向に回転することで、複数のスラットＳｔを垂直方向に開閉できる。
【００４１】
図１を参照すると、ブラインドＢｄは、プーリ１ｐ付きの駆動装置Ｍｄと回転軸ＳｒをヘッドボックスＢｈの内部に配置している。駆動装置Ｍｄは、回転軸Ｓｒを介して、巻取ドラムＤｒを回転することで、複数の遮蔽材となるスラットＳｔを開閉（昇降）できる。
【００４２】
図１を参照すると、ブラインドＢｄは、図示しない回転ドラム及び巻取ドラムＤｒの中心部を長尺の回転軸Ｓｒに固定又は嵌合している。又、回転軸Ｓｒは、その一方の端部を図示しない駆動装置Ｍｄに連結している。駆動装置Ｍｄは、プーリ１ｐ（図３参照）を回転軸Ｓｒに取り付けている。
【００４３】
図１又は図３を参照すると、プーリ１ｐには、ループした操作コードＣｈを巻き掛けしている。駆動装置Ｍｄは、プーリ１ｐを介して、操作コードＣｈの操作による回転を回転軸Ｓｒに伝動できるが、回転軸Ｓｒからの回転が阻止されるように構成している。
【００４４】
図１を参照して、回転軸Ｓｒが一方の方向に回転するように、操作コードＣｈを操作すると、巻取ドラムＤｒが昇降コードＣｒを巻き取ることで、複数のスラットＳｔを開く（上昇させる）ことができる。
【００４５】
一方、図１を参照して、回転軸Ｓｒが他方の方向に回転するように、操作コードＣｈを操作すると、複数のスラットＳｔ及びボトムレールＲｂの自重で、昇降コードＣｒが巻取ドラムを巻き戻すことで、複数のスラットＳｔを閉じる（下降させる）ことができる。
【００４６】
（操作コード巻取装置の構成）
次に、ブラインドＢｄに備わる操作コード巻取装置１０の構成を説明する。図１又は図２を参照すると、本発明の一実施形態による操作コード巻取装置１０は、ループ状をなす操作コードＣｈの端部に取り付けている。
【００４７】
図２から図７を参照すると、操作コード巻取装置１０は、一組の円筒状のケース１１・１２を備えている。一方のケース１１と他方のケース１２は、互いに開口側が突き合わされて、操作コード巻取装置１０の外殻を構成している。
【００４８】
図２から図７を参照すると、一方のケース１１と他方のケース１２は、操作コードＣｈを挿通できる開口部１ｈを有している。一方のケース１１は、その内壁の中心部から支持軸１１ｓを突出している。支持軸１１ｓには、操作コードＣｈを巻き掛けしている（図３又は図５参照）。
【００４９】
図２から図７を参照すると、操作コード巻取装置１０は、円筒状のリール２、付勢部材となるぜんまいばね３、及び、係合部材となる操作ボタン４を更に備えている。リール２は、一方のケース１１の支持軸１１ｓと回転自在に連結している。リール２は、支持軸１１ｓの外周を囲っている。又、リール２は、その外周面２１ｃに操作コードＣｈを巻き取ることができる（図６参照）。
【００５０】
図２を参照すると、リール２は、巻取部２１とドラム部２２を一体に成形している。巻取部２１は、軸穴２１ｈを中心部に開口している。軸穴２１ｈは、支持軸１１ｓと回転自在に連結しており、支持軸１１ｓはリール２の回転中心となっている。巻取部２１は、その周囲に立設したフランジ板に規制されて、操作コードＣｈを巻き取ることができる。ドラム部２２は、操作ボタン４の先端部と係合可能な係合部となる穴２２ｈを外周に開口している。
【００５１】
図２又は図３及び図５を参照すると、リール２は、操作コードＣｈが挿通する開口部２ｈを有している。図３又は図５を参照して、操作コードＣｈが開口部２ｈを挿通して、支持軸１１ｓに巻き掛けした状態で、リール２を回動することで、リール２の外周面２１ｃに一方側の操作コード１Ｃｈと他方側の操作コード２Ｃｈを一斉に巻き取りできる（図６参照）。
【００５２】
図２又は図３及び図５を参照すると、開口部２ｈは、実体として、リール２の外周面２１ｃの一部を断絶し、内部に貫通する切り欠き部からなっている。操作コードＣｈは、切り欠き部の両端部２１ｅ・２２ｅのいずれか一方の端部に係止することで、リール２の外周面２１ｃに巻き取りできる（図６参照）。
【００５３】
図２又は図４及び図６を参照すると、ぜんまいばね３は、リール２の内部に配置されている。ぜんまいばね３の一端部は、支持軸１１ｓに係止している。ぜんまいばね３の他端部は、ドラム部２２の外周に係止している。ぜんまいばね３は、リール２が操作コードＣｈを巻き取る力を蓄勢している。ぜんまいばね３は、リール２が操作コードＣｈを巻き取る方向に、リール２に回転力を付勢している。
【００５４】
図２から図７を参照すると、操作ボタン４は、一方のケース１１の外周に取り付けられている。操作ボタン４は、一方のケース１１の遠心方向に移動自在に取り付けられている。操作ボタン４を押下すると、操作ボタン４の先端部をリール２の穴２２ｈに係合できる（図３から図５参照）。そして、リール２の回転を制動できる。ドラム部２２に対する穴２２ｈの位置は、操作コードＣｈがリール２から全て巻き戻された状態において、操作ボタン４が係合可能な位置に形成されている。
【００５５】
図６又は図７を参照して、操作ボタン４の頭部を把持して、リール２から離れる方向に操作ボタン４を移動すると、リール２との係合を解除できる。そして、リール２の回転を許容できる。
【００５６】
［ブラインド及び操作コード巻取装置の作用］
次に、実施形態によるブラインドＢｄ及び操作コード巻取装置１０の動作を説明しながら、ブラインドＢｄ及び操作コード巻取装置１０の作用及び効果を説明する。
【００５７】
図１を参照すると、操作コード巻取装置１０は、操作コードＣｈの下端部に取り付けている。操作コードＣｈの下端部が床面から低い位置に配置されている場合には、操作コード巻取装置１０は、幼児又はペットなどが届かない位置に、操作コードＣｈを巻き取ることができる（図８参照）。
【００５８】
図３又は図５を参照すると、支持軸１１ｓは、ループ状をなす操作コードＣｈを巻き掛けしている。又、リール２は、操作コードＣｈを巻き取りできるが、操作ボタン４によって回転が制動されている。
【００５９】
図３又は図５に示した状態では、支持軸１１ｓと操作コードＣｈとを相対移動可能としている。つまり、ブラインドＢｄは、操作コード巻取装置１０を移動させることなく、スラットＳｔの昇降操作が可能となる。
【００６０】
図２又は図３及び図５を参照すると、リール２は、操作コードＣｈが挿通する開口部２ｈを有し、操作コードＣｈは、開口部２ｈを挿通して、支持軸１１ｓに巻き掛けした状態で、リール２を回動することで、リール２の外周面２１ｃに操作コードＣｈの一方側と他方側を一斉に巻き取りできる（図６又は図７参照）。これにより、ブラインドＢｄは、操作コードＣｈの垂れ下がり量を短くすることができる（図８参照）。
【００６１】
図２又は図３及び図５を参照すると、開口部２ｈは、実体として、リール２の外周面２１ｃの一部を断絶し、内部に貫通する切り欠き部からなっている。操作コードＣｈは、切り欠き部の両端部２１ｅ・２２ｅのいずれか一方の端部に係止することで、リール２の外周面２１ｃに巻き付け易くなる。
【００６２】
図２又は図４及び図６を参照すると、ぜんまいばね３は、リール２の内部に配置されている。ぜんまいばね３の一端部は、支持軸１１ｓに係止している。ぜんまいばね３の他端部は、ドラム部２２の外周に係止している。操作コードＣｈを巻き取る方向に回転するようにぜんまいばね３を設けることにより、付勢力を利用して、操作コードＣｈをリール２に巻き取ることができる。
【００６３】
図２から図７を参照すると、操作コード巻取装置１０は、リール２に設けた穴２２ｈと係合可能な操作ボタン４を更に備えている。操作ボタン４は、穴２２ｈと係合して状態では、リール２の回転を制動し、穴２２ｈとの係合を解除した状態では、リール２の回転を許容できる。これにより、操作コード巻取装置１０は、操作コードＣｈの巻取り量が変更できるようになり、操作コードＣｈの垂下長さを調整することができる。
【００６４】
図１から図８を参照すると、操作コード巻取装置１０は、複数のスラットＳｔを開閉操作するためのループ状に形成した操作コードＣｈと、中心部に配置され、操作コードＣｈを巻き掛けした支持軸１１ｓと、支持軸１１ｓと同軸上に支持軸１１ｓの周囲を囲い、操作コードＣｈを巻き取り可能なリール２と、を備えている。そして、操作コード巻取装置１０は、支持軸１１ｓと操作コードＣｈとを相対移動可能としているので、ループ状の操作コードＣｈを使用しても、操作コード巻取装置１０を操作コードＣｈに連結した状態で、複数のスラットＳｔを昇降操作することが可能になる。
【００６５】
図３から図５に示した状態から、操作ボタン４を引くと、一組のケース１１・１２とリール２の係合が解除されるので、ぜんまいばね３の付勢力を利用して、リール２を一方の方向に回転でき、操作コードＣｈをリール２に巻き取ることができる（図６参照）。そして、操作コード巻取装置１０を相対的に高い位置に配置できる（図８参照）。
【００６６】
図６を参照して、リール２が操作コードＣｈを巻き取る過程において、操作ボタン４を押下すると、操作ボタン４の先端部を穴２２ｈに係合でき（図４参照）、リール２の回転を制動できる。これにより、操作コード巻取装置１０を任意の位置に停止できる。
【００６７】
図８に示した状態から、操作ボタン４を引くと、一組のケース１１・１２とリール２の係合が解除されるので、ぜんまいばね３の付勢力に抗して、操作コード巻取装置１０を下方に移動できる。リール２が操作コードＣｈを巻き戻す過程において、操作ボタン４を押下すると、操作ボタン４の先端部を穴２２ｈに係合でき（図４参照）、リール２の回転を制動できる。又、図１を参照して、操作コード巻取装置１０が操作コードＣｈの最下端部に配置された状態では、操作コード巻取装置１０を移動させることなく、スラットＳｔの昇降操作が可能となる。
【００６８】
実施形態による操作コード巻取装置１０は、ぜんまいばねを利用した自動巻取装置を開示したが、手動操作によりリールを回転させる手動操作式の巻取装置に適用することもできる。
又、実施形態では、支持軸１１ｓを一方のケース１１の内壁の中心部から突出させたが、これに限らない。即ち、支持軸をケース（操作コード巻取装置）の中心部から外れた位置から突出させてもよい。支持軸はリールの回転中心となっていればよい。
【符号の説明】
【００６９】
２  リール
１０  操作コード巻取装置
１１ｓ  支持軸
Ｂｄ  ブラインド
Ｂｈ  ヘッドボックス（支持部材）
Ｃｈ  操作コード
Ｓｔ  スラット（遮蔽材）
【図１】
2020172787.tif 000003
【図２】
2020172787.tif 000004
【図３】
2020172787.tif 000005
【図４】
2020172787.tif 000006
【図５】
2020172787.tif 000007
【図６】
2020172787.tif 000008
【図７】
2020172787.tif 000009
【図８】
2020172787.tif 000010
【図９】
2020172787.tif 000011
【図１０】
2020172787.tif 000012
【図１１】
2020172787.tif 000013